【手続補正書】
【提出日】令和2年1月6日(2020.1.6)
【手続補正１】
【補正対象書類名】特許請求の範囲
【補正対象項目名】全文
【補正方法】変更
【補正の内容】
【特許請求の範囲】
【請求項１】
表面を備えた基材と、
前記表面の何らかの部分に施された疎水性コーティングと、
を含む物品であって、
前記コーティングが、少なくとも１つの金属または金属化合物と、マイクロまたはナノの構造サイズ範囲を有する複数の個々の表面形状と、を含むテクスチャ処理層を含み、前記複数の表面形状が、前記テクスチャ処理層における基準ゼロ点に対して異なる高さの異なる平面に位置し、前記テクスチャ処理層の前記複数の表面形状の間に空間が実質的に存在しない、前記物品。
【請求項２】
前記複数の表面形状がそれぞれ、前記テクスチャ処理層において、より小さな形状を含むことで階層構造を与える、請求項１に記載の物品。
【請求項３】
前記テクスチャ処理層の前記金属が、ニッケル、銅、亜鉛、コバルト、クロム、マンガン、銀、金、チタン、カドミウム、白金、他の遷移金属、及びそれらの組み合わせからなる群から選択される、請求項１に記載の物品。
【請求項４】
前記金属化合物が、金属酸化物、金属炭化物、金属窒化物、金属水酸化物、金属炭窒化物、金属オキシ窒化物、金属ホウ化物、金属ホウ炭化物、金属フッ化物、他の金属化合物、及びそれらの組み合わせからなる群から選択される、請求項１に記載の物品。
【請求項５】
前記テクスチャ処理層が、金属または金属化合物とナノ粒子との複合材料を含む、請求項１に記載の物品。
【請求項６】
前記ナノ粒子が、ＰＴＦＥ粒子、シリカ粒子、アルミナ粒子、炭化ケイ素、珪藻土、窒化ホウ素、酸化チタン、酸化白金、ダイヤモンド、スピノーダル分解したガラスのディファレンシャルエッチングに由来して形成される粒子、単層カーボンナノチューブ、混合ケイ素／チタン酸化物粒子（ＴｉＯ２／ＳｉＯ２、チタンの内核／ケイ素の外表面）、セラミック粒子、サーモクロミック金属酸化物、多層カーボンナノチューブ、前記粒子のいずれかが化学的または物理的に改変されたバージョン、及びそれらの任意の組み合わせからなる群から選択される、請求項５に記載の物品。
【請求項７】
前記テクスチャ処理層に施された１つまたは複数のコンフォーマルコーティング層をさらに含む、請求項１に記載の物品。
【請求項８】
前記コンフォーマルコーティング層が、窒化クロム（ＣｒＮ）、ダイヤモンドライクカーボン（ＤＬＣ）、窒化チタン（ＴｉＮ）、チタン炭窒化物（ＴｉＣＮ）、窒化アルミニウムチタン（ＡｌＴｉＮ）、窒化アルミニウムチタンクロム（ＡｌＴｉＣｒＮ）、窒化ジルコニウム（ＺｒＮ）、ニッケル、金、ＰｌａｓｍａＰｌｕｓ（登録商標）、Ｃｅｒａｂｌａｃｋ（商標）、クロム、フッ化ニッケル（ＮｉＦ２）、任意のニッケル複合材料、任意の有機材料または無機−有機材料、及びそれらの組み合わせの１つまたは複数を含む、請求項７に記載の物品。
【請求項９】
前記コンフォーマルコーティング層が、前記ニッケル複合材料を含み、前記ニッケル複合材料が、ＰＴＦＥ、シリカ（ＳｉＯ２）、アルミナ（Ａｌ２Ｏ３）、炭化ケイ素（ＳｉＣ）、ダイヤモンド、珪藻土（ＤＥ）、窒化ホウ素（ＢＮ）、酸化チタン（ＴｉＯ２）、単層カーボンナノチューブ（ＳＷＣＮＴ）、多層カーボンナノチューブ（ＭＷＣＮＴ）、カオリン（Ａｌ２Ｏ３．２ＳｉＯ２．２Ｈ２Ｏ）、グラファイト、他のナノ粒子、及びそれらの任意の組み合わせからなる群から選択される粒子と、ニッケルとの複合材料である、請求項８に記載の物品。
【請求項１０】
前記コンフォーマルコーティング層が、前記有機材料または無機−有機材料を含み、前記有機材料または無機−有機材料が、パリレン、有機官能性シラン、フッ素化有機官能性シラン、フッ素化有機官能性シロキサン、有機官能性オリゴマーシロキサン、有機官能性樹脂、ハイブリッド型無機有機官能性樹脂、表面エネルギーが低い樹脂、有機官能性かご型シルセスキオキサン（ＰＯＳＳ）、ハイブリッド型無機有機官能性ＰＯＳＳ樹脂、フッ素化オリゴマーポリシロキサン、有機官能性オリゴマーポリシロキサン、ハイブリッド型無機有機官能性オリゴマーポリシロキサン、フッ素化有機官能性シリコーンコポリマー、有機官能性シリコーンポリマー、ハイブリッド型無機有機官能性シリコーンポリマー、有機官能性シリコーンコポリマー、ハイブリッド型無機有機官能性シリコーンコポリマー、フッ素化かご型シルセスキオキサン（ＦＰＯＳＳ）、不揮発性の直鎖もしくは分岐鎖のアルカン、アルケン、及びアルキン、直鎖もしくは分岐鎖のアルカンのエステル、直鎖もしくは分岐鎖のアルケンのエステル、及び直鎖もしくは分岐鎖のアルキンのエステル、全フッ素置換有機材料、シランカップリング剤であるＤｙｎａｓｙｌａｎ（登録商標）ＳＩＶＯ、他の同様の基、またはそれらの任意の組み合わせ、パリレン、有機官能性シラン、フッ素化アルキルシラン、フッ素化アルキルシロキサン、有機官能性樹脂、ハイブリッド型無機有機官能性樹脂、有機官能性かご型シルセスキオキサン（ＰＯＳＳ）、ハイブリッド型無機有機官能性ＰＯＳＳ樹脂、シリコーンポリマー、フッ素化オリゴマーポリシロキサン、有機官能性オリゴマーポリシロキサン、フッ素化有機官能性シリコーンコポリマー、有機官能性シリコーンポリマー、ハイブリッド型無機有機官能性シリコーンポリマー、有機官能性シリコーンコポリマー、ハイブリッド型無機有機官能性シリコーンコポリマー、フッ素化かご型シルセスキオキサン（ＦＰＯＳＳ）、Ｄｙｎａｓｙｌａｎ（登録商標）ＳＩＶＯ、他の同様の基、またはそれらの任意の組み合わせからなる群から選択される、請求項８に記載の物品。
【請求項１１】
前記コーティングが、ＡＳＴＭ  Ｄ７４９０−１３規格によって試験すると、９０度を超える水接触角を有する、請求項１に記載の物品。
【請求項１２】
前記コーティングが、ＡＳＴＭ  Ｄ３３６３−０５（２０１１）ｅ２規格によって試験すると、３Ｂを超える鉛筆硬度レベルを有する、請求項１に記載の物品。
【請求項１３】
前記コーティングが、ＡＳＴＭ  Ｆ２４５２−０４−２０１２規格によって試験すると、プルオフ試験（テープ試験）における耐久性が少なくともレベル３に適合する、請求項１に記載の物品。
【請求項１４】
前記テクスチャ処理層に施された追加の層をさらに含み、前記追加の層が、前記疎水性層の前記表面形状の内部に混ざり込む潤滑剤、ポリマーブレンド、ナノ粒子、またはそれらの任意の組み合わせ（ポリマーとナノ粒子との複合材料など）を含む、請求項１に記載の物品。
【請求項１５】
前記追加の層が、前記ナノ粒子を含み、前記ナノ粒子が、表面エネルギーが低い材料であらかじめ処理されるか、または前記追加の層の前記化学ブレンドに表面エネルギーが低い材料が添加される、請求項１４に記載の物品。ナノ粒子の例には、限定はされないが、シリカ（ＳｉＯ２）、アルミナ（Ａｌ２Ｏ３）、炭化ケイ素（ＳｉＣ）、ダイヤモンド、珪藻土（ＤＥ）、窒化ホウ素（ＢＮ）、酸化チタン（ＴｉＯ２）、単層カーボンナノチューブ（ＳＷＣＮＴ）、多層カーボンナノチューブ（ＭＷＣＮＴ）、カオリン（Ａｌ２Ｏ３．２ＳｉＯ２．２Ｈ２Ｏ）、またはそれらの任意の組み合わせが含まれる。
【請求項１６】
前記追加の層が、前記ナノ粒子を含み、前記ナノ粒子が、疎水性ヒュームドシリカ粒子、疎水性珪藻土（ＤＥ）粒子、疎水性焼成シリカ粒子、またはそれらの任意の組み合わせからなる群から選択される、セラミックベースの疎水性粒子を含む、請求項１４に記載の物品。
【請求項１７】
前記追加の層が、ポリマーブレンドを含み、前記ポリマーブレンドが、有機ポリマー、熱可塑性ポリマー、熱硬化性ポリマー、コポリマー、ターポリマー、ブロックコポリマー、交互ブロックコポリマー、ランダムポリマー、ホモポリマー、ランダムコポリマー、ランダムブロックコポリマー、グラフトコポリマー、星型ブロックコポリマー、デンドリマー、高分子電解質、両性高分子電解質（カチオン基とアニオン基との両方を反復して有する高分子電解質）、及びイオノマーを１つまたは複数含む、請求項１４に記載の物品。
【請求項１８】
前記基材が、パイプとして構成され、前記疎水性コーティングが、亜鉛を含む、請求項１に記載の物品。
【請求項１９】
前記基材が、加熱装置として構成され、前記疎水性コーティングが、ニッケルを含む、請求項１に記載の物品。
【請求項２０】
前記基材が、ポリマー鋳型として構成され、前記疎水性コーティングが、亜鉛を含む、請求項１に記載の物品。